(57)【要約】      （修正有）【課題】ボルトやピンテール等の破断部分の面取り及びバリ取りを頗る簡単で、かつ、効率良く行うことができる有用な面取り工具を提供する。【解決手段】軸心方向に開口されたインナーソケット１と、インナーソケット１内に設けられた面取りカッター２と、インナーソケット１の開放端側を囲繞すべく設けられた大径のアウターソケット３とを備える。面取りカッター２は、ボルトやピンテールの長さに応じてカッターの位置を調整できるように螺旋２ｄを介してインナーソケット１内に変位自在に設ける。アウターソケット３の外周には、鉄粉等の切削屑を捕集するためのカバー(捕集カバー)４を被装せしめ、その捕集カバー４内には環状のマグネット５を周設せしめる。【選択図】図３
0003138577.tif 000002
【実用新案登録請求の範囲】
【請求項１】
ボルト等の被加工物の遊端部分を面取り及び／又はバリ取りするために使用される面取り工具において、軸心方向に開口されたインナーソケットと、該インナーソケット内に設けられた面取り及び／又はバリ取りカッターと、少なくとも前記インナーソケットの開放端側を囲繞すべく設けられた大径のアウターソケットとを備えてなることを特徴とする面取り工具。
【請求項２】
軸心方向に開口されたインナーソケットと、該インナーソケット内に設けられた面取り及び／又はバリ取りカッターと、少なくとも前記インナーソケットの開放端側を囲繞すべく設けられた大径のアウターソケットとを備えてなる面取り工具において、
前記面取り及び／又はバリ取りカッターは、インナーソケット内に変位自在に設けられていることを特徴とする面取り工具。
【請求項３】
軸心方向に開口されたインナーソケットと、該インナーソケット内に設けられた面取り及び／又はバリ取りカッターと、少なくとも前記インナーソケットの開放端側を囲繞すべく設けられた大径のアウターソケットとを備えてなる面取り工具において、
前記アウターソケットには、鉄粉等の切削屑を捕集するためのカバー及び／又はマグネットを装着してなることを特徴とする面取り工具。
【考案の詳細な説明】
【技術分野】
【０００１】
本考案は、主としてボルト（被加工物）の面取り及び／又はバリ取り作業に使用される面取り工具に関し、更に詳しくは、ピンテール付きボルトの如く、ピンテールが破断された跡(破断面)に生じるバリ等を切削して円滑、かつ、簡単に表面を面取り(表面処理)することができる有用な面取り工具の改良に関する。
【背景技術】
【０００２】
従来、斯かる面取りやバリ取り用の工具としては、サンドペーパーやヤスリ等が使用されており、手作業で何度も丹念に仕上げをして、有害なバリを取り除いている。また、バリ取り工具としては、例えば、スプリング状に巻いたコイル状のヤスリを複数本組合せ、その一端をハンドルで固定してブラシ状にしたものが既に案出されてる（特許文献１参照）。
【特許文献１】特開２００２−３３１４２２号公報
【考案の開示】
【考案が解決しようとする課題】
【０００３】
しかしながら、上述した従来のバリ取り工具にあっては、手作業であるため、面取り及びバリ取りの作業に必要以上の時間を要するものであり、中には、Ｒゲージを頻繁にあて、目視によって面取りの角を取りすぎないように細心の注意をはらわなければならないといった問題があり、もっと手軽で効率良く面取りやバリ取り加工ができる工具が要望されている。
【０００４】
しかも、ピンテール付きボルトにあっては、ねじ部に螺合するナットの締付反力をピンテールで受け、同ピンテールがノッチ部(破断溝；ブレークネック)で破断するまで締め付けられるため、ピンテールの破断面には、Ｒ面がなく、また、バリ等が生じていることも相俟って、同破断部分に塗装を施しても、塗料が剥がれ易く、錆が発生してしまうといった問題がある。
【０００５】
本考案はこのような従来の問題点及び要望に鑑みてなされたもので、ボルトやピンテール等の破断部分の面取り及びバリ取りを頗る簡単で、かつ、効率良く行うことができる有用な面取り工具を提供することを目的としたものである。
【課題を解決するための手段】
【０００６】
上述の如き従来の問題点を解決し、所期の目的を達成するため本考案の要旨とする構成は、ボルト等の被加工物の遊端部分を面取り及び／又はバリ取りするために使用される面取り工具において、軸心方向に開口されたインナーソケットと、該インナーソケット内に設けられた面取りカッターと、前記インナーソケットの開放端側を囲繞すべく設けられた大径のアウターソケットとを備えてなる面取り工具に存する。
【０００７】
また、前記面取りカッターは、インナーソケット内に変位自在に設けられるのが良く、延いては、前記アウターソケットに、鉄粉等の切削屑を捕集するためのカバー及び／又はマグネットを装着するのが良い。
【考案の効果】
【０００８】
このように構成される本考案の面取り工具は、軸心方向に開口されたインナーソケットと、該インナーソケット内に変位自在に挿着された面取りカッターと、前記インナーソケットの開放端側を囲繞すべく連設された大径のアウターソケットとを備えたことによって、本工具の基端側（連結基部）を、電気ドリル等のスピンドルや手持ち式工具回転用電動機の工具取付部に取付けるだけで、その回転駆軸の作動によって本工具が回転し、前記インナーソケット内に挿着されたボルト遊端部等の被加工物が前記面取りカッターで均一に切削できるため、ボルト遊端部(破断部)の面取り及びバリ取りを簡単、かつ、効率的に行うことができるといった効果を奏するものである。
【０００９】
また、前記面取りカッターが、インナーソケット内に変位自在に設けられているため、ボルトやピンテール(被加工物)の長さに応じてカッターの位置を調整できるため、種々な長さの被加工物でも対応できるといった効果を奏するものである。
【００１０】
更に、前記アウターソケットに、鉄粉等の切削屑を捕集するためのカバー及び／又はマグネットを装着することによって、その面取り及びバリ取り加工の際に生じる切削屑の飛散を防止することができるといった効果を奏する。
【考案を実施するための最良の形態】
【００１１】
軸心方向に開口されたインナーソケットと、該インナーソケット内に設けられた面取りカッターと、前記インナーソケットの開放端側を囲繞すべく設けられた大径のアウターソケットとを備え、前記面取りカッターは、インナーソケット内に変位自在に設け、前記アウターソケットには、鉄粉等の切削屑を捕集するためのカバー及び／又はマグネットを装着せしめるのが良い。
【実施例】
【００１２】
次に、本考案に係る面取り工具の実施の一例を図面を参照しながら説明する。図中Ａは、本考案に係る面取り工具であり、この面取り工具Ａは、図１に示すように、軸心方向に開口されたインナーソケット１と、該インナーソケット１内に設けられた面取りカッター２と、前記インナーソケット１の開放端側を囲繞すべく設けられた大径のアウターソケット３とを備えている。
【００１３】
インナーソケット１は、両端が開口された筒状を呈しており、基端側に後述する面取りカッター２の連結部２ｃを挿着するための連結孔１ａと、先端開口１ｂ側に大径のアウターソケット３が連設されている。
【００１４】
また、面取りカッター２は、ボルトやピンテールの長さに応じてカッターの位置を調整できるようにインナーソケット１内に変位自在に設けられている。換言すれば、面取りカッター２は、図１に示すように、環状のカッター部２ａと、該カッター部２ａの基部２ｂに突設された連結部２ｃとを備えており、インナーソケット１内に貫通する螺旋(ポンチネジ)２ｄ，２ｄで前記基部２ｂが締結されている。
【００１５】
従って、螺旋２ｄ、２ｄを緩めることで、面取りカッター２の全体が同インナーソケット１内を変位可能になるものであり、ボルト遊端部６の長さに応じて同カッター２の位置を調整できるのである。
【００１６】
一方、アウターソケット３の外周には、鉄粉等の切削屑を捕集するためのカバー(捕集カバー)４が被装されるものであり(図４参照)、図３に示すように、その捕集カバー４内には環状のマグネット５が周設されている。
【００１７】
このように本考案の面取り工具では、本工具Ａの連結部２ｃを、電気ドリル等のスピンドルや手持ち式工具回転用電動機Ｂの工具取付部Ｂ１  に取付けるだけで、その回転駆軸の作動によって本工具Ａが回転し、前記インナーソケット１内に挿着されたボルト遊端部６を面取りカッター２で均一に切削できるため、同ボルト遊端部６の面取り及びバリ取りを誰にでも簡単、かつ、効率的に行うことができる。
【００１８】
しかも、前記アウターソケット３の外周には、捕集カバー４とマグネット５とが装着されているため、その面取り及びバリ取り加工の際に生じてしまう鉄粉等の切削屑が、捕集カバー４及びマグネット５との協働によって吸着されるため、従来の如き四方八方に鉄粉等が飛散してしまうことを防止することができるものであり、また、捕集カバー４を本工具Ａに被装することで、騒音防止をも図ることができるのである。
【００１９】
因に、この捕集カバー４は、蛇腹状の筒体であるため、本工具Ａを取り外しする時や、被加工物を挿着させる時であっても、邪魔になることなく伸縮できるため、頗る便利であると共に、バリ取り加工時に生じてしまう鉄粉等を、同蛇腹状の各谷部間に捕集し滞留させることが可能となる。
【００２０】
また、マグネット５もこの蛇腹状の捕集カバー４の伸縮に応じて変位することから、被加工物の大きさや形に合わせて鉄粉の捕集位置を自在に調整することができるので、便利である。
【００２１】
尚、本考案の面取り工具は、本実施例に限定されることなく、本考案の目的の範囲内で自由に設計変更できるものであり、本考案はそれらの全てを包摂するものである。例えば、本実施例では、ボルト、ピンテールの面取り及びバリ取り用として説明しているが、これに限定されることなく、ボルト、ピンテール以外の被加工物にも応用できることは云うまでもない。
【００２２】
また、本実施例では、捕集カバー４内にマグネット５を周設しているが、これに限定されることなく、アウターソケット３にマグネット５を装着しても良いものであり、本考案はこれらの全てを包摂するものである。
【図面の簡単な説明】
【００２３】
【図１】本考案に係る面取り工具の縦断面図である。
【図２】同面取り工具の端面図である。
【図３】同面取り工具の使用状態を示す縦断面図である。
【図４】本実施例で使用する捕集カバーの取付状態を示す説明図である。
【符号の説明】
【００２４】
１  インナーソケット
１ａ  連結孔
１ｂ  先端開口
２  面取りカッター
２ａ  カッター部
２ｂ  基部
２ｃ  連結部
２ｄ  螺旋
３  アウターソケット
４  捕集カバー
５  マグネット
６  ボルト遊端部
【図１】
0003138577.tif 000003
【図２】
0003138577.tif 000004
【図３】
0003138577.tif 000005
【図４】
0003138577.tif 000006